(57)【特許請求の範囲】
【請求項１】
ネットワークを介して消費者に商品を販売する出店者が設定する前記商品の使用目的を示す目的情報に対応づけて、前記目的情報ごとに前記出店者が設定可能な価格情報を含む前記商品の販売用データを有する商品情報を格納する商品情報格納部と、
前記消費者から前記商品の使用目的を示す目的候補情報を受け取り、前記目的候補情報に対応する前記目的情報に対応づけられた前記商品情報を前記商品情報格納部から抽出し、抽出した前記商品情報から前記価格情報を抽出する商品抽出部と、
前記商品抽出部が抽出した前記価格情報を前記商品情報が示す前記商品の価格を示す情報として前記消費者に送る商品情報送信部と
を備えるモールサーバシステム。
【請求項２】
ネットワークを介して消費者に商品を販売する出店者が設定する前記商品の販売用データを含む商品情報を、前記出店者が設定する前記商品の使用目的を示す目的情報に対応づけて格納し、前記出店者が前記商品の出店希望順に前記目的情報をランク付けしたランク情報を前記目的情報とともに格納する商品情報格納部と、
前記消費者から前記商品の使用目的を示す目的候補情報を受け取り、前記目的候補情報に対応する前記目的情報に対応づけられた前記商品情報を、前記ランク情報が示すランクが高い順に抽出する商品抽出部と、
前記商品抽出部が抽出した前記商品情報を前記消費者に送る商品情報送信部と
を備えるモールサーバシステム。
【請求項３】
ネットワークを介して消費者に商品を販売する出店者が設定する前記商品の販売用データを含む商品情報、及び前記商品を取り扱うことができる前記出店者を示す出店権情報を、前記出店者が設定する前記商品の使用目的を示す目的情報に対応づけて格納する商品情報格納部と、
前記消費者から前記商品の使用目的を示す目的候補情報を受け取り、前記目的候補情報に対応する前記目的情報に対応づけられた前記商品情報のうち、前記出店権情報が設定された前記商品情報を前記商品情報格納部から抽出する商品抽出部と、
前記商品抽出部が抽出した前記商品情報を前記消費者に送る商品情報送信部と
を備えるモールサーバシステム。
【請求項４】
前記商品情報は、前記出店者を示す出店者情報をさらに含み、
前記出店者情報に対応して前記出店者をそれぞれ特定可能な店舗情報を格納する店舗情報格納部
をさらに備える請求項１乃至３のいずれかに記載のモールサーバシステム。
【請求項５】
前記目的候補情報に対応した前記目的情報を前記消費者が一覧可能な形式で前記消費者に送る店舗情報送信部
をさらに備える請求項４に記載のモールサーバシステム。
【請求項６】
前記商品情報送信部は、前記消費者が一覧可能な形式で、前記商品情報を前記消費者に送る請求項４または５に記載のモールサーバシステム。
【請求項７】
前記商品情報格納部は、前記目的情報の特徴に基づいて複数の前記目的情報に関連づけた目的群情報をさらに格納し、
前記商品抽出部は、前記消費者から受け取った前記目的候補情報が前記目的群情報に対応する場合に、前記目的群情報に関連づけられた前記目的情報に対応する前記商品情報を抽出する請求項４乃至６のいずれかに記載のモールサーバシステム。
【請求項８】
前記商品抽出部は、前記消費者から受け取った前記目的候補情報がいずれかの前記目的情報に対応する場合に、いずれかの前記目的情報及びいずれかの前記目的情報に関連づけられた他の前記目的情報に対応する前記商品情報を抽出する請求項４乃至７のいずれかに記載のモールサーバシステム。
【請求項９】
前記商品に対する注文情報を前記消費者から受け取った場合に、前記出店者を前記店舗情報格納部の前記店舗情報に基づいて特定し、特定した前記出店者に前記注文情報を送る商品注文部
をさらに備える請求項４乃至８のいずれかに記載のモールサーバシステム。
【請求項１０】
前記消費者から送られた前記目的候補情報に対応する前記目的情報が無い旨を、前記商品抽出部から受け取り、前記出店者に送信する目的追加部
をさらに備え、
前記商品情報格納部は、前記出店者の要求に応じて前記消費者から送られた前記目的候補情報を、前記商品情報に対して新たな目的情報として追加する請求項１乃至９のいずれかに記載のモールサーバシステム。
【請求項１１】
前記消費者の購買動向に応じた商品提示をする商品推薦基準を設定する商品注文部
をさらに備え、
前記商品抽出部は、前記商品推薦基準に基づいて、前記出店者により販売希望価格が設定された前記商品情報を前記商品情報格納部から抽出し、
前記商品情報送信部は、前記消費者へ購入を勧める推薦商品を示す情報として、前記商品抽出部が抽出した前記商品情報を前記消費者に送る請求項１に記載のモールサーバシステム。
【請求項１２】
前記消費者から前記商品の購入希望価格を含む注文情報を受け取る場合に、前記購入希望価格が前記価格情報に対して、前記出店者により設定された商品販売許容基準に合えば、前記出店者に前記注文情報を送る商品注文部
をさらに備える請求項１に記載のモールサーバシステム。
【請求項１３】
前記商品情報格納部は、前記商品ごとに前記出店者が設定する前記商品の販売対象となる前記消費者の特徴を示す属性情報を前記商品情報の一部として格納し、
前記消費者から前記消費者の特徴を示す属性候補情報を受け取る場合に、前記商品抽出部は、前記属性候補情報に対応する前記属性情報を含む前記商品情報を抽出する請求項１乃至１２のいずれかに記載のモールサーバシステム。
【請求項１４】
前記商品情報格納部は、前記商品ごとに前記出店者が設定する前記商品の販売対象となる前記消費者の特徴を示す属性情報を前記商品情報の一部として格納し、
前記商品情報送信部は、前記消費者から前記消費者の特徴を示す属性候補情報を受け取る場合に、前記属性候補情報に対応する前記属性情報を含む前記商品情報に、前記商品情報から差別化する変化を加えて前記消費者に送る請求項１乃至１３のいずれかに記載のモールサーバシステム。
【請求項１５】
モールサーバが、
ネットワークを介して消費者に商品を販売する出店者が設定する前記商品の使用目的を示す目的情報に対応づけて、前記目的情報ごとに前記出店者が設定可能な価格情報を含む前記商品の販売用データを有する商品情報を格納するステップと、
前記消費者から前記商品の使用目的を示す目的候補情報を受け取り、前記商品情報を格納するステップにおいて格納された、前記目的候補情報に対応づけられた前記商品情報を抽出し、抽出した前記商品情報から前記価格情報を抽出するステップと、
前記価格情報を抽出するステップにおいて抽出された前記価格情報を、前記商品情報が示す前記商品の価格を示す情報として前記消費者に送るステップと
を備えるネット通販注文方法。
【請求項１６】
モールサーバが、
ネットワークを介して消費者に商品を販売する出店者が設定する前記商品の販売用データを含む商品情報を、前記出店者が設定する前記商品の使用目的を示す目的情報に対応づけて格納し、前記出店者が前記商品の出店希望順に前記目的情報をランク付けしたランク情報を前記目的情報とともに格納するステップと、
前記消費者から前記商品の使用目的を示す目的候補情報を受け取り、前記目的候補情報に対応する前記目的情報に対応づけられた前記商品情報を、前記ランク情報が示すランクが高い順に抽出するステップと、
前記商品情報を抽出するステップにおいて抽出された前記商品情報を前記消費者に送るステップと
を備えるネット通販注文方法。
【請求項１７】
モールサーバが、
ネットワークを介して消費者に商品を販売する出店者が設定する前記商品の販売用データを含む商品情報、及び前記商品を取り扱うことができる前記出店者を示す出店権情報を、前記出店者が設定する前記商品の使用目的を示す目的情報に対応づけて格納するステップと、
前記消費者から前記商品の使用目的を示す目的候補情報を受け取り、前記目的候補情報に対応する前記目的情報に対応づけられた前記商品情報のうち、前記出店権情報を格納するステップにおいて格納された、前記出店権情報が設定された前記商品情報を抽出するステップと、
前記商品情報を抽出するステップにおいて抽出された前記商品情報を前記消費者に送るステップと
を備えるネット通販注文方法。
【請求項１８】
前記商品情報は、前記出店者を示す出店者情報をさらに含み、
前記モールサーバが、
前記出店者情報に対応して前記出店者をそれぞれ特定可能な店舗情報を格納するステップ
をさらに備える請求項１５乃至１７のいずれかに記載のネット通販注文方法。
【請求項１９】
前記モールサーバが、
前記目的候補情報に対応した前記目的情報を前記消費者が一覧可能な形式で前記消費者に送るステップ
をさらに備える請求項１８に記載のネット通販注文方法。
【請求項２０】
前記モールサーバが、
前記商品に対する注文情報を前記消費者から受け取った場合に、前記店舗情報を格納するステップにおいて格納された前記店舗情報に基づいて前記出店者を特定し、特定した前記出店者に前記注文情報を送るステップ
をさらに備える請求項１８または１９に記載のネット通販注文方法。
【請求項２１】
前記モールサーバが、
前記商品情報を抽出するステップにおいて前記消費者から送られた前記目的候補情報に対応する前記目的情報が無い場合に、前記消費者から送られた前記目的候補情報に対応する前記目的情報が無い旨を、前記出店者に送信するステップ
をさらに備え、
前記商品情報を格納するステップにおいて、前記出店者の要求に応じて前記消費者から送られた前記目的候補情報を、前記商品情報に対して新たな目的情報として追加する請求項１８乃至２０のいずれかに記載のネット通販注文方法。
【請求項２２】
前記モールサーバが、
前記消費者の購買動向に応じた商品提示をする商品推薦基準を設定するステップ
をさらに備え、
前記商品情報を抽出するステップは、前記商品の前記商品推薦基準に基づいて、前記出店者により販売希望価格が設定された前記商品情報を、前記商品情報を格納するステップにおいて格納された前記商品情報から抽出し、
前記商品情報を送信するステップは、前記消費者へ購入を勧める推薦商品を示す情報として、前記商品情報を抽出するステップにおいて抽出された前記商品情報を前記消費者に送る請求項１５に記載のネット通販注文方法。
【請求項２３】
前記消費者から前記商品の購入希望価格を含む注文情報を受け取る場合に、前記購入希望価格が前記価格情報に対して、前記出店者により設定された商品販売許容基準に合えば、前記出店者に前記注文情報を送るステップ
をさらに備える請求項１５に記載のネット通販注文方法。
【発明の詳細な説明】
【０００１】
【発明の属する技術分野】
本発明は、出店者の提供する商品をネットワークを介して消費者に販売するモールサーバシステムに関する。特に本発明は、消費者が各種目的に応じて所望の商品をまとめて購入可能な仮想店舗を設定するモールサーバシステムに関する。
【０００２】
【従来の技術】
近年、情報通信手段の発達に伴い、インターネット等の広域情報通信網を利用したオンラインショッピングモールが実施されている。消費者は、ショッピングモールを開催するモールサーバにアクセスすることによって出店者が提供する商品に関する情報の閲覧及び注文をする。一方、出店者は、モールサーバにアクセスすることによって商品の情報の提供及び受注をする。
【０００３】
図１は、従来のモールサーバシステムの消費者端末における入力画面を示す図である。モールサーバシステムは、例えばモールサーバと商品をモールに出品する出店者が使用する出店者端末と商品を注文する消費者が使用する消費者端末とを備える。
【０００４】
消費者端末１５０は、ディスプレイ１９４とキーボード１９２とマウス１９０とを備える。ディスプレイ１９４の画面には、商品分類情報１９６が表示されている。消費者は、マウス１９０等で所望の商品分類情報１９６を選択することによって、商品分類で扱われる商品を閲覧することができる。また、ディスプレイ１９４には、消費者がキーワードを入力することによって所望の商品をモールサーバに検索させる商品検索入力欄１９５が表示されている。
【０００５】
ここで、例えば、消費者が運動会で使用するための「運動服」、「運動靴」、「弁当」、「レジャーシート」を注文すると仮定する。消費者は、商品分類情報１９６から衣料を選択する。消費者は、「衣料」の中から「運動服」を選択し、所望の「運動服」の注文をする。同様に、消費者は、「靴・鞄」の中から「運動靴」を、「食品」の中から「弁当」を選択し、所望の商品を見つけ出して注文をする。また、商品分類情報１９６に「レジャーシート」が無いため、消費者は商品検索入力部１９５に「レジャーシート」を入力して商品検索を行う。以上のように、従来のショッピングモールでは、消費者は店舗ごと又は商品分類ごとに所望の商品を別々に探さなくてはならない。
【０００６】
【発明が解決しようとする課題】
このようなオンラインショッピングモールは、モールの規模が大きくなると出店している店舗数が多くなってしまう。従って、消費者は、複数の店舗をまわって所望の商品を注文しなければならないという問題がある。
【０００７】
また、消費者が所望の商品を検索する場合に、消費者は商品ごとにいちいち検索を行わなくてはならない。従って、消費者は、消費者は、煩雑な商品検索に多大な時間を費やさなくてはならないという問題がある。
【０００８】
そこで本発明は、上記の課題を解決することのできる消費者の所望する商品をまとめて取り扱う仮想店舗を設定可能なモールサーバシステムを提供することを目的とする。この目的は特許請求の範囲における独立項に記載の特徴の組み合わせにより達成される。また従属項は本発明の更なる有利な具体例を規定する。
【０００９】
【課題を解決するための手段】
上記目的を達成するために、本発明の第１の形態に係るモールサーバシステムは、商品をネットワークを介して消費者に販売する出店者が設定する商品の販売用データと出店者を示す出店者情報とを含む商品情報を、出店者が設定する商品の使用目的を示す目的情報に対応づけて格納する商品情報格納部と、出店者情報に対応して出店者をそれぞれ特定可能な店舗情報を格納する店舗情報格納部と、消費者から商品の使用目的を示す目的候補情報を受け取り、目的候補情報に対応する目的情報に対応づけられた商品情報を商品情報格納部から抽出する商品抽出部と、抽出された商品情報に対応する商品を取り扱う仮想店舗を設定する店舗設定部とを備えることを特徴とする。
【００１０】
前記目的候補情報に対応した前記目的情報を消費者が一覧可能な形式で前記消費者に送る店舗情報送信部を備えるようにしてもよい。
【００１１】
仮想店舗が取り扱う商品の商品情報を消費者が一覧可能な形式で消費者に送る商品情報送信部を備えるようにしてもよい。
【００１２】
商品情報格納部は、目的情報の特徴に基づいて複数の目的情報に関連づけた目的群情報を更に格納し、消費者から受け取った目的候補情報が目的群情報に対応する場合に、商品抽出部は、目的群情報に関連づけられた目的情報に対応する商品情報を抽出し、店舗設定部は、抽出された商品情報に対応する商品を取り扱う仮想店舗を設定するようにしてもよい。
【００１３】
商品情報格納部は、目的情報の特徴に基づいて複数の前記目的情報を関連づけて格納し、商品抽出部は、消費者から受け取った目的候補情報がいずれかの目的情報に対応する場合に、いずれかの目的情報及びいずれかの目的情報に関連づけられた他の目的情報に対応する商品情報を抽出し、店舗設定部は、抽出された商品情報に対応する商品を取り扱う仮想店舗を設定するようにしてもよい。
【００１４】
商品情報の示す商品に対する注文情報を消費者から受け取った場合に、商品を出品する出店者を店舗情報格納部の店舗情報に基づいて特定し、特定した出店者に注文情報を送る商品注文部をさらに備えるようにしてもよい。
【００１５】
消費者から新たな仮想店舗の設定要求情報を受け取った場合に、商品情報格納部は、出店者の要求に応じて設定要求情報を新たな目的情報として格納し、店舗設定部は、新たな目的情報に対応する商品を取り扱う仮想店舗を設定するようにしてもよい。
【００１６】
販売用データは商品の目的情報ごとに出店者が設定可能な価格情報を含み、商品抽出部は、目的情報に対応づけられた商品情報と目的情報に対して設定された前記価格情報とを抽出し、商品情報送信部は、目的情報に対して設定された価格情報を商品情報が示す商品の価格を示す情報として消費者に送るようにしてもよい。
【００１７】
価格情報は、出店者が設定する商品の消費者に対する販売希望価格であり、商品抽出部は、消費者から目的候補情報を受け取った場合に、複数の出店者が設定した目的情報に対応する複数の商品のうち、消費者向けの商品推薦基準に基づいて販売希望価格の商品の商品情報を商品情報格納部から抽出し、商品情報送信部は、抽出された商品情報を仮想店舗における推薦商品を示す情報として消費者に送るようにしてもよい。
【００１８】
価格情報は、出店者が設定する商品の消費者に対する販売価格であり、商品注文部は、消費者から商品の購入希望価格を含む注文情報を受け取る場合に、購入希望価格が販売価格に対して出店者が設定する商品販売許容基準に合えば、出店者に注文情報を送るようにしてもよい。
【００１９】
商品情報格納部は、出店者が商品の出店希望順に目的情報をランク付けしたランク情報を目的情報とともに格納し、消費者から目的候補情報を受け取る場合に、商品抽出部は、ランク情報に基づいて商品情報を商品情報格納部から抽出し、店舗設定部は、商品情報に対応する商品をランク情報に基づいて取り扱う仮想店舗を設定するようにしてもよい。
【００２０】
商品情報格納部は、出店者が取得した商品の仮想店舗における出店枠を示す出店権情報を目的情報とともに格納し、消費者から目的候補情報を受け取る場合に、商品抽出部は、出店権情報に基づいて商品情報を商品情報格納部から抽出し、店舗設定部は、出店権情報の設定された商品情報に対応する商品を出店権情報の示す出店枠において取り扱う仮想店舗を設定するようにしてもよい。
【００２１】
商品情報格納部は、商品ごとに出店者が設定する商品の販売対象となる消費者の特徴を示す属性情報を商品情報の一部として格納し、消費者から消費者の特徴を示す属性候補情報を受け取る場合に、商品抽出部は、属性候補情報に対応する属性情報を含む商品情報を抽出し、店舗設定部は、商品情報に対応する商品を属性情報に基づいて取り扱う仮想店舗を設定するようにしてもよい。
【００２２】
商品情報格納部は、商品ごとに出店者が設定する商品の販売対象となる消費者の特徴を示す属性情報を商品情報の一部として格納し、消費者から消費者の特徴を示す属性候補情報を受け取る場合に、商品情報送信部は、属性候補情報に対応する属性情報を含む前記商品情報に、商品情報から差別化する変化を加えて消費者に送るようにしてもよい。
【００２３】
上記目的を達成するために、本発明の第２の形態に係る消費者がネットワークを介して出店者に商品を注文可能な消費者端末は、消費者の商品の使用目的を示す目的候補情報をモールサーバに送る目的候補送信部と、目的候補情報が、モールサーバの格納される出店者が設定した商品の使用目的を示す目的情報に対応する場合に、目的情報に対応づけられた商品の特徴を示す商品情報をモールサーバから受け取る商品情報受信部と、受け取った商品情報を出力させる消費者側出力部と、消費者が商品情報の示す商品を注文する場合に、消費者の商品の注文情報を送る購入要求部とを備えることを特徴とする。
【００２４】
上記目的を達成するために、本発明の第３の形態に係るネット通販注文方法は、
ネットワークを介して消費者から商品の注文を受ける出店者が設定する商品の販売用データと出店者を示す出店者情報とを含む商品情報を出店者から受け取るステップと、出店者が設定する商品の使用目的を示す目的情報を出店者から受け取るステップと、受け取った商品情報と目的情報を対応づけて格納するステップと、出店者情報対応して出店者をそれぞれ特定可能な店舗情報を出店者から受け取るステップと、店舗情報を格納するステップと、消費者から受け取った商品の使用目的を示す目的候補情報に対応する目的情報に対応づけられた商品情報を商品情報格納部から抽出するステップと、抽出した商品情報に対応する商品を取り扱う仮想店舗を設定するステップと、仮想店舗が取り扱う商品の商品情報を消費者に送るステップとを備えることを特徴とする。
【００２５】
なお上記の発明の概要は、本発明の必要な特徴の全てを列挙したものではなく、これらの特徴群のサブコンビネーションも又発明となりうる。
【００２６】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２７】
（第１実施形態）
本実施形態においては、オンラインショッピングモールを開催するモールサーバは、消費者の使用目的に応じた商品をまとめて取り扱う仮想的な店舗を設定する。例えば、消費者が運動会で使用する商品を購入したい場合に、モールサーバは、運動会において使用される様々な商品を出店者の商品の中から抽出する。次にモールサーバは、抽出した運動会用の商品をまとめて取り扱う仮想店舗を設定する。消費者は、仮想店舗でショッピングすることによって運動会用の所望の商品をまとめて購入することができる。
【００２８】
図２は、第１実施形態のモールサーバシステムの概念図である。モールサーバシステムは、モールサーバ１００と出店者端末１８０と消費者端末１８０とを備える。モールサーバ１００は、ネットワーク１２を介して出店者端末１８０と消費者端末１５０とに通信可能に結ばれている。ネットワーク１２は、例えば、インターネット回線、ＣＡＴＶ回線等を利用した有線通信網であってもよいし、衛星通信回線等を利用した無線通信網であってもよい。
【００２９】
図３は、第１実施形態のモールサーバシステムにおける消費者端末の入力画面を示す図である。消費者端末１５０は、ディスプレイ１９４とキーボード１９２とマウス１９０とを備える。ディスプレイ１９４の画面には、消費者の購入したい商品の使用目的を示す目的候補情報１９７が表示されている。消費者は、マウス１９０等で所望の目的候補情報１９７を選択することによって、モールサーバ１００に目的候補情報を送る。
【００３０】
一方、モールサーバ１００は、予め出店者が商品ごとに設定した商品の使用目的を示す目的情報を格納している。従って、モールサーバ１００は、受け取った目的候補情報１９７に対応する目的情報を探す。モールサーバ１００は、探した目的情報が設定されている商品を抽出する。次に、モールサーバ１００は、抽出した商品をまとめて取り扱う仮想店舗を設定する。消費者は、仮想店舗でショッピングすることによって、複数の店舗を巡ることなく所望の商品をまとめて注文することができる。また。ディスプレイ１９４の画面には、消費者の購入したい商品の使用目的を入力する目的候補情報入力欄１９８が表示されている。消費者は、購入したい商品の使用目的を示すキーワードを入力するようにしてもよい。
【００３１】
以上のように、消費者は、所望の商品の使用目的をモールサーバ１００に送ることによって、モールサーバ１００は、仮想店舗を設定する。消費者は、仮想店舗において購入したい商品をまとめて注文することができる。また、消費者は、複数の店舗における煩雑な商品選択に要する時間を低減することができる。
【００３２】
図４は、第１実施形態のモールサーバシステムにおけるモールサーバの機能ブロック図である。モールサーバ１００は、商品注文部１０２と目的追加部１０４と出店情報格納部１１０と仮想店舗作成部１２０とサーバ送信部１３０とサーバ受信部１４０とを備える。
【００３３】
出店情報格納部１１０は、出店者から受け取ったショッピングモールに出品する商品の各種情報と出店者を特定するための情報とを格納する。出店情報格納部１１０は、店舗情報格納部１１２と商品情報格納部１１４とを有する。
【００３４】
商品情報格納部１１４は、出店者が設定する商品の販売用データと出店者を示す出店者情報とを含んだ商品情報を格納する。販売用データは、例えば商品価格や商品名等の情報であってもよい。出店者情報は、例えば出店者名や出店者を示すマーク等の情報であってもよい。また、商品情報格納部１１４は、消費者販売用に出店者が設定する商品の使用目的を示す目的情報を、商品情報に対応づけて格納する。例えば、商品情報格納部１１４は、出店者から受け取った商品「靴」の価格と画像データと出店者名とを商品情報として格納してもよい。また、商品情報格納部１１４は、出店者から受け取った「運動」と「遠足」といった目的情報を、商品情報に対応づけて格納してもよい。さらに、商品情報格納部１１４は、商品ごとに出店者が設定する商品の販売対象となる消費者の特徴を示した属性情報を商品情報の一部として格納してもよい。属性情報は、例えば性別（男性用又は女性用）、対象年齢等であってもよい。商品情報に属性情報を含ませることによって、消費者は商品情報の示す商品がどのような消費者を対象としているかを知ることができる。
【００３５】
店舗情報格納部１１２は、出店者情報に対応して複数の出店者から出店者をそれぞれ特定可能な店舗情報を格納する。例えば、出店者情報は、出店者名であってもよい。例えば、店舗情報は、出店者名と住所と電話番号と電子メールアドレス等を含んだ情報であってもよい。このように出店者情報と店舗情報を対応させることによって、出店者情報から必要に応じてその出店者の店舗情報を知ることができる。また、商品情報に出店者を特定するための住所等の情報を含めずに済むため、商品情報のデータ容量を低減できる。
【００３６】
なお、上述の店舗情報格納部１１２及び商品情報格納部１１４は、商品情報等のデータを一時的に格納するデータ保持装置である。データ保持装置は、例えばバッファ（緩衝記録装置）やハードディスク等の磁気記録媒体であってもよい。例えば、商品情報格納部１１４は、商品情報を出店者からインターネット回線を通じて受け取ってもよい。また、商品情報格納部１１４は、モールサーバ１００側でＣＤ−ＲＯＭやＭＯ等の記録媒体から商品情報を読み出して保持するようにしてもよい。また、商品情報格納部１１４は、商品情報をまとめて格納している外部のサーバー装置からインターネット回線を通じて商品情報をダウンロードして格納してもよい。このように、店舗情報格納部１１２及び商品情報格納部１１４は、商品情報等のデータを一時的に経由してもよい。
【００３７】
サーバ受信部１４０は、消費者端末１５０から消費者所望の商品の使用目的に関する情報等を受け取る。サーバ受信部１４０は、目的候補受信部１４２と属性受信部１４４とを有する。
【００３８】
目的候補受信部１４２は、消費者が購入したい商品に関連する使用目的を示す目的候補情報を消費者から受け取る。目的候補情報は、例えば「遠足」「スポーツ」「お中元」等の情報であってもよい。
【００３９】
属性受信部１４４は、消費者端末１５０から消費者の特徴を示す属性候補情報を受け取る。なお、属性候補情報の詳細については、後述する。
【００４０】
仮想店舗作成部１２０は、サーバ受信部１４０から受け取った目的候補情報や属性候補情報に基づいて商品情報を抽出して仮想店舗を設定する。仮想店舗作成部１２０は、商品抽出部１２２と店舗設定部１２４とを有する。
【００４１】
商品抽出部１２２は、目的候補受信部１４２から受け取った目的候補情報に対応する目的情報を見つけ出す。一方、目的候補情報に対応する目的情報を見つけ出せない場合には、商品抽出部１２２は、目的追加部１０４に目的候補情報を送ってもよい。また、商品抽出部１２２は、目的候補情報に対応する目的情報が無い旨の情報を消費者に送るようにしてもよい。商品抽出部１２２は、見つけ出した目的情報に対応づけられた商品情報を商品情報格納部１１４から抽出する。目的候補情報に対応する目的情報は、複数あってもよい。例えば、出店者が目的情報として「運動」や「スポーツ」を設定しているとする。「運動」と「スポーツ」は目的が類似しているので、商品情報格納部１１４は、「運動」と「スポーツ」とを関連づけて格納してもよい。商品抽出部１２２は、目的候補情報が「運動」である場合に、「運動」と「スポーツ」とに対応づけられた商品情報を抽出してもよい。
【００４２】
なお、目的候補情報に対応する目的情報が複数ある場合に、商品抽出部１２２は、抽出した複数の目的情報を店舗設定部１２４に送ってもよい。また、商品抽出部１２２は、属性受信部１４４から受け取った属性候補情報に対応する属性情報を含む商品情報を商品情報格納部１１４から抽出してもよい。例えば、消費者から受け取った属性候補情報が性別（男性）を示す情報である場合に、商品抽出部１２２は、属性情報として性別（男性）を示す情報を含んだ商品情報を抽出するようにしてもよい。
【００４３】
ところで、商品情報の販売用データは、商品の価格情報を含んでもよい。出店者は、商品の目的情報ごとに価格情報を設定してもよい。商品抽出部１２２は、さまざまな形で設定された価格情報に基づいて商品情報を抽出するようにしてもよい。例えば、商品抽出部１２２は、価格情報が一番安い商品情報を抽出するようにしてもよい。価格情報の応用については後述する。
【００４４】
店舗設定部１２４は、商品抽出部１２２によって抽出された複数の商品情報に対応する商品をまとめて取り扱う仮想店舗を設定する。抽出された複数の商品情報の示す商品には、様々な種類の商品が含まれるのが通常である。従って、店舗設定部１２４は、抽出した商品情報を商品の種類別に分類してもよい。例えば、目的情報として「運動」を設定した商品として「運動靴」、「帽子」、「靴」があるとする。この場合に、店舗設定部１２４は、「運動靴」、「帽子」、「靴」ごとに出店者の商品を分類して仮想店舗を設定するようにしてもよい。このように、店舗設定部１２４は、消費者から受け取った目的候補情報に関係する商品を集めて仮想店舗を設定する。従って、消費者は、複数の店舗ごとに商品を検索することなく、所望の複数の商品を１つの仮想店舗でまとめて注文することができる。
【００４５】
なお、商品抽出部１２２から複数の目的情報を受け取っている場合には、店舗設定部１２４は、複数の目的情報に対応づけられた商品を取り扱う仮想店舗を設定してもよい。例えば、店舗設定部１２４は、抽出したすべての商品を取り扱う仮想店舗を設定してもよい。また、店舗設定部１２４は、抽出した一部の商品を取り扱う仮想店舗を設定してもよい。店舗設定部１２４は、複数の仮想店舗を設定してもよい。
【００４６】
サーバ送信部１３０は、店舗設定部１２４から受け取った商品情報や目的情報を消費者に送る。サーバ送信部１３０は、店舗情報送信部１３２と商品情報送信部１３４とを有する。
【００４７】
店舗情報送信部１３２は、店舗設定部１２４から受け取った目的情報を消費者が一覧可能な形式のデータとして消費者に送る。例えば、消費者から受け取った目的候補情報に対応する目的情報が複数ある場合に、店舗情報送信部１３２は、消費者が目的を絞り込めるように一覧表示可能なデータとして複数の目的情報を送ってもよい。
【００４８】
商品情報送信部１３４は、店舗設定部１２４において設定された仮想店舗の扱う商品情報を一覧可能な形式のデータとして消費者に送る。例えば、店舗情報送信部１３２は、仮想店舗で扱う商品数を限定して商品情報を消費者に送るようにしてもよい。また、商品情報送信部１３４は、属性情報を含んだ商品情報か否かを確認してもよい。商品情報送信部１３４は、属性情報が属性受信部１４４から受け取った属性候補情報に対応する場合に、商品情報に変化を加えるようにしてもよい。例えば、属性情報に対応する商品情報の商品の画像データを明るい色するように処理を加えてもよい。また、属性情報に対応する商品情報の示す文字を大きく表示させるように処理を加えてもよい。このようにすれば、属性情報を含む商品情報は、他の商品情報から差別化される。
【００４９】
商品注文部１０２は、仮想店舗で取り扱われる商品に対する消費者の注文情報を受け取る。ここでいう商品注文情報は、消費者を特定可能な消費者情報と注文する商品を取り扱う出店者の示す出店者情報とを含んだデータである。消費者情報は、例えば消費者名、住所、電話番号等を含んだデータであってもよい。商品注文部１０２は、受け取った注文情報に含まれる出店者情報に対応する店舗情報を商品抽出部１２２から読み出す。商品注文部１０２は、読み出した店舗情報から出店者を特定する。商品注文部１０２は、特定した出店者に消費者から受け取った注文情報を送る。
【００５０】
ところで、消費者の目的候補情報に対応する目的情報が無く、モールサーバ１００が仮想店舗を設定できない場合もある。このような場合に、消費者の要望が出店者に届くことが望まれる。一方で、消費者は、商品抽出部１２２から目的候補情報に対応する商品がない旨の情報を受け取ることが望ましい。
【００５１】
目的追加部１０４は、消費者から新しい仮想店舗の設定要求情報を受け取る。また、目的追加部１０４は、目的情報に対応しない目的候補情報を設定要求情報として商品抽出部１２２から受け取ってもよい。目的追加部１０４は、受け取った設定要求情報を出店者及び商品情報格納部１１４に送る。出店者は、設定要求情報を受け取ることによって消費者が望む仮想店舗の傾向を知ることができる。一方、商品情報格納部１１４は、出店者からの要求に応じて設定要求情報を新たな目的情報として追加設定できるように目的情報に変更を加える。出店者から設定要求情報を新たな目的情報として設定する要求を受け取る場合には、商品情報格納部１１４は、出店者が指定した商品に対して目的情報を追加する。以上のように、店舗設定部１２４が消費者所望の仮想店舗を設定できない場合に、目的追加部１０４は、出店者に消費者の設定要求情報を送る。従って、出店者は、消費者の利用したい仮想店舗の傾向を把握することができる。従って、商品の目的情報を変更したり追加することによって、出店者は、消費者の要求に応じて適切な商品情報を提供することができる。
【００５２】
図５は、第１実施形態のモールサーバシステムにおける消費者端末の機能ブロック図である。消費者端末１５０は、消費者受信部１６０と消費者入力部１７０と消費者側出力部１５２とを備える。
【００５３】
消費者受信部１６０は、モールサーバ１００のサーバ送信部１３０から仮想店舗で取り扱われる商品情報等を受け取る。消費者受信部１６０は、店舗情報受信部１６２と商品情報受信部１６４とを有する。
【００５４】
店舗情報受信部１６２は、店舗情報送信部１３２から目的情報を受け取る。商品情報受信部１６４は、商品情報送信部１３４から仮想店舗で取り扱われる商品情報を受け取る。消費者側出力部１５２は、消費者受信部１６０から受け取った商品情報を出力させる。消費者側出力部１５２は、目的情報を出力させるようにしてもよい。消費者側出力部１５２は、例えばディスプレイ１９４に商品情報等の示す画像を出力させるようにしてもよい。
【００５５】
消費者入力部１７０は、消費者が所望する仮想店舗を設定するための目的候補情報や商品の注文等の情報の入力を受け付ける。消費者入力部１７０は、購入要求部１７２と属性入力部１７４と目的候補送信部１７６と新店舗要求部１７８とを有する。
【００５６】
購入要求部１７２は、仮想店舗で取り扱われる商品に対する消費者の注文を受け付ける。属性入力部１７４は、消費者の特徴を示す属性候補情報の入力を受け付ける。消費者は、属性候補情報をモールサーバ１００に送ることによって、属性候補情報に基づいた商品の提示を受けることができる。目的候補送信部１７６は、消費者から商品の使用目的を示す目的候補情報を受け付ける。消費者は、予め用意された目的候補情報の中から、所望の目的候補情報を選択してもよい。また消費者が所望のキーワード等を入力して目的情報を送るようにしてもよい。
【００５７】
新店舗要求部１７８は、消費者から新たな仮想店舗の設定要求情報の入力を受け付ける。消費者が送った目的候補情報によってモールサーバ１００が仮想店舗を設定できない場合に、消費者は目的候補情報を設定要求情報として送ってもよい。
【００５８】
図6は、第１実施形態のモールサーバシステムにおける出店者端末の機能ブロック図である。出店者端末１８０は、出店者受信部１８２と出店者側出力部１８４と出店者送信部１８６とを備える。
【００５９】
出店者受信部１８２は、商品注文部１０２から消費者の商品の注文情報を受け取る。また、出店者受信部１８２は、目的追加部１０４から仮想店舗の設定要求情報を受け取る。出店者側出力部１８４は、出店者受信部１８２が受け取った注文情報等を出力させる。出店者側出力部１８４は、例えばディスプレイ１９５等に注文情報等の画像を表示させるようにしてもよい。出店者送信部１８６は、仮想店舗に出品する商品の商品情報や出店者の店舗情報等をモールサーバ１００の出店情報格納部１１０に送る。
【００６０】
図７は、第１実施形態のモールサーバシステムのモールサーバ側の処理を示すフローチャートである。モールサーバ１００の店舗情報格納部１１２は、出店者から店舗情報を受け取る（Ｓ１００）。店舗情報格納部１１２は、受け取った店舗情報を格納する（Ｓ１１０）。商品情報格納部１１４は、出店者から商品情報を受け取る（Ｓ１２０）。商品情報格納部１１４は、受け取った商品情報を格納する（Ｓ１３０）。商品情報格納部１１４は、出店者から目的情報を受け取る（Ｓ１４０）。なお、モールサーバ１００が店舗情報、商品情報、目的情報が受け取る順序は上記には限定されない。商品情報格納部１１４は、商品情報を目的情報に対応づけて格納する（Ｓ１５０）。モールサーバ１００は、出店者が商品情報に対する目的情報の設定を変更できるようにしてもよい。
【００６１】
次に、モールサーバ１００の商品抽出部１２２は、消費者から目的候補情報を受け取るまで待機する（Ｓ１６０）。商品抽出部１２２が目的候補情報を受け取る場合に、商品抽出部１２２は、目的候補情報に対応する目的情報を見つけ出す。
【００６２】
ここで、出店者が設定する目的情報と消費者から受け取る目的候補情報との対応関係について説明する。目的候補情報は、目的情報に１対１に対応しなくてもよい。例えば、商品情報格納部１１４は、目的情報の特徴に基づいて複数の目的情報を関連づけて格納してもよい。例えば、目的情報として「運動会」「体育祭」「スポーツ大会」等が設定されているとする。これら３つの目的情報は、互いに特徴が類似している。従って。これら３つの目的情報が示す目的で使用される商品は、ほぼ類似すると考えられる。このような場合に、商品情報格納部１１４は、「運動会」「体育祭」「スポーツ大会」を互いに関連づけてグループ化して格納してもよい。目的候補情報が関連づけられた複数の目的情報のいずれかに対応する場合に、商品抽出部１２２は、関連づけられた目的情報のグループから目的情報を抽出してもよい。例えば、商品抽出部１２２は、目的候補情報「運動会」に対応する目的情報として「運動会」と「体育祭」を抽出してもよい。
【００６３】
また、商品情報格納部１１４は、目的情報の特徴に基づいて複数の目的情報に関連づけた目的群情報をさらに格納してもよい。目的情報として「国内旅行」と「海外旅行」が設定されている場合に、目的群情報は、例えばこれら２つの目的情報を包括する「旅行」といった情報であってもよい。目的候補情報が目的群情報に対応する場合に、商品抽出部１２２は、目的群情報に関連づけられた目的情報を抽出してもよい。例えば、商品抽出部１２２は、目的候補情報「旅行」に対応する目的群情報「旅行」に関連づけられた目的情報「国内旅行」と目的情報「海外旅行」を抽出してもよい。
【００６４】
商品抽出部１２２が目的候補情報に対応する目的情報を見つけ出せない場合には（Ｓ１７０）、商品抽出部１２２は、目的候補情報に対応する目的情報が無い旨の情報を送る（Ｓ１８０）。一方、商品抽出部１２２が目的候補情報に対応する目的情報を見つけ出せた場合には（Ｓ１７０）、商品抽出部１２２は、目的情報を抽出する。次に、商品抽出部１２２は、抽出した目的情報が複数あるか否かを確認する。抽出された目的情報が１つであれば（Ｓ１９０）、Ｓ２２０に進む。一方、抽出された目的情報が複数であれば、商品抽出部１２２は、目的情報が互いに関連づけられているかを確認する。ここでいう関連づけは、例えば、目的情報が目的群情報に関連づけられていること等をいう。抽出された複数の目的情報に関連づけが無いならば、商品抽出部１２２は、店舗設定部１２４を介して消費者に複数の目的情報を送る（Ｓ２１０）。これにより消費者は、商品の使用目的を絞り込むことができる。一方、抽出された複数の目的情報に関連づけが有るならば、Ｓ２２０に進む。
【００６５】
Ｓ２２０では、商品抽出部１２２は、抽出した目的情報に対応づけられた商品情報を抽出する。ここで、目的情報が複数ある場合に、商品抽出部１２２は、抽出したすべての目的情報対応づけられた商品情報を抽出しなくてもよい。また、商品抽出部１２２は、目的情報に対応づけられたすべての商品情報を抽出しなくてもよい。このように、商品抽出部１２２は、抽出する商品情報の数を調整してもよい。
【００６６】
店舗設定部１２４は、商品抽出部１２２によって抽出された商品情報の示す商品を取り扱う仮想店舗を設定する（Ｓ２３０）。店舗設定部１２４は、受け取った商品情報を商品名に応じて分類してもよい。また、目的情報が複数ある場合に、店舗設定部１２４は、受け取った商品情報の示す商品を目的情報ごとに取り扱う仮想店舗を複数設定するようにしてもよい。例えば、目的候補情報「旅行」に対応する目的群情報「旅行」に関連づけられた目的情報「国内旅行」と目的情報「海外旅行」があるとする。このような場合に、店舗設定部１２４は、目的情報「国内旅行」と目的情報「海外旅行」に対応づけられた商品をまとめて取り扱う仮想店舗を設定してもよい。また、店舗設定部１２４は、目的情報「国内旅行」と目的情報「海外旅行」とにそれぞれ対応づけられた商品をそれぞれ取り扱う２つの仮想店舗を設定してもよい。
【００６７】
商品注文部１０２が商品の注文情報を消費者から受け取れない場合には（Ｓ２５０）、Ｓ１６０に戻る。一方、商品注文部１０２が商品の注文情報を消費者から受け取る場合には（Ｓ２５０）、商品注文部１０２は、注文情報から出店者情報を見つけ出す。商品注文部１０２は、出店者情報に対応する店舗情報を店舗情報格納部１１２から読み出して出店者を特定する（Ｓ２６０）。商品注文部１０２は、店舗情報に基づいて特定した出店者に注文情報を送る（Ｓ２７０）。
【００６８】
図８は、第１実施形態の出店者を特定する店舗情報を示す図である。店舗情報２０は、出店者名２１と代表者名２２と住所２３と電話番号２４と電子メールアドレス２５とを含む。ここでいう出店者名は、出店者情報の一例である。商品注文部１０２は、注文情報に含まれる出店者情報に基づいて商品情報格納部１１４から店舗情報２０を読み出す。商品注文部１０２は、読み出した店舗情報２０が示す電子メールアドレス２５に消費者の注文情報を送ってもよい。
【００６９】
以上のようにすれば、モールサーバ１００は、消費者の商品の注文を適切な出店者に送ることができる。なお、消費者は、モールサーバ１００を介さず直接、出店者に商品の注文をしてもよい。
【００７０】
図９は、第１実施形態の出店者が設定する商品情報と目的情報を示す図である。商品情報３０は、販売データ３１と出店者名２１とを含む。目的情報４０は、運動会等の各種商品の使用目的を示す情報を含む。目的情報４０は、季節や月等の情報であってもよい。商品情報３０は、商品ＩＤを有する。商品情報３０は、各商品ＩＤごとに目的情報に対応づけられている。例えば、商品ＩＤ＝１に対応する商品「運動服」は、「運動会」と「遠足」等の目的情報に対応づけられている。従って、消費者から目的候補情報として「運動会」又は「遠足」を受け取った場合に、モールサーバ１００は、商品「運動服」を仮想店舗で取り扱う。また、出店者は、モールサーバ１００の商品情報格納部１１４にアクセスすることによって、各商品の目的情報４０を自由に設定変更できるようにしてもよい。
【００７１】
ところで、出店者は、上述のように出店する商品ごとに目的情報を設定することができる。しかし、複数の出店者が、ある商品について同一の目的情報を設定することが生じる。例えば、商品「カメラフィルム」について、商品ＩＤ＝６の「三橋カメラ」と商品ＩＤ＝８の「ディスカウント松本」の２つの出店者が、目的情報として同じ「運動会」を設定している。このような場合に、運動会を目的情報として設定される仮想店舗は、通常「カメラフィルム」として商品ＩＤ＝６と商品ＩＤ＝８の２人の出店者の商品を取り扱う。
【００７２】
しかし、同一の商品を取り扱う出店者が複数存在すると、消費者の商品注文が複数の出店者に分散してしまう。従って、各出店者の収益は減少する。また、消費者が見る仮想店舗の画面において、商品の売れ行きは、商品が提示される位置や表示によって左右されるのが一般的である。
従って、出店者は、競合する他の出店者の商品を排除することを望む。また、出店者は、自己の商品を仮想店舗で他の出店者よりも優位に取り扱ってもらうことを望む。そこで、モールサーバ１００の商品情報格納部１１４は、仮想店舗において出店者の商品を優先的に取り扱う出店枠の情報を目的情報とともに格納するようにしてもよい。例えば、モールサーバ１００の運営者が、予め出店者に対して仮想店舗における出店枠を提示する。出店枠は、例えばある目的情報に対応する１つの商品に対して、１人の出店者の商品のみを取り扱うことであってもよい。また、出店枠は、消費者に対する仮想店舗の表示画面における特定の表示位置を占有することであってもよい。モールサーバ１００の運営者は、例えば一番高額な出店料を提示した出店者の商品に対して出店枠を与えてもよい。
【００７３】
ここで、ある商品のある目的情報について出店者が出店枠を取得したとする。この場合に、商品情報格納部１１４は、仮想店舗における商品の出店枠を示す出店権情報を目的情報とともに格納する。例えば、図の商品ＩＤ＝８の出店者が目的情報「運動会」に商品「カメラフィルム」の出店枠を取得しているとする。ここで、商品ＩＤ＝８の目的情報「運動会」の二重丸は、出店枠が設定されていることを示している。
【００７４】
消費者から目的候補情報を受け取る場合に、商品抽出部１２２は、目的候補情報に対応する商品情報を出店権情報に基づいて抽出する。商品抽出部１２２は、出店権情報の設定された商品情報のみを抽出してもよい。商品抽出部１２２は、出店権の設定されていない商品情報を出店権の設定された商品情報に併せて抽出してもよい。店舗設定部１２４は、出店権情報の設定された商品情報の示す商品を出店者が取得している出店枠で取り扱うように仮想店舗を設定する。
以上のように、出店者は、所望の出店枠を獲得することによって、商品の販売方針に応じた消費者への商品情報の提示をすることができる。
【００７５】
図１０は、第１実施形態の出店者が設定する目的情報を出店希望順にランク付けしたランク情報を示す図である。商品情報格納部１１４は、出店者が商品の出店希望順に目的情報をランク付けしたランク情報を目的情報とともに格納する。例えば、商品ＩＤ＝１５に対応する商品「ビール」には、「運動会」と「遠足」と「Ｘ’ｍａｓ」の３つの目的情報が設定されている。さらに、目的情報は、出店者の商品の出店希望順位を示す「Ａ」「Ｂ」「Ｃ」等の情報を含んでいる。ここで、「Ａ」「Ｂ」「Ｃ」は、この順に出店者の商品の出店希望の強さ示す情報である。目的情報「運動会」は、「Ａ」ランクのランク情報を含み、目的情報「遠足」は、「Ｂ」ランクのランク情報を含み、目的情報「Ｘ’ｍａｓ」は、「Ｃ」ランクのランク情報を含む。従って、商品ＩＤの１５の商品「ビール」を出店する出店者は、「運動会」、「遠足」、「Ｘ’ｍａｓ」の順に商品を仮想店舗で優先的に取り扱ってもらうことができる。
【００７６】
例えば、目的情報「運動会」に対応する商品を抽出して仮想店舗を設定する場合を例にとる。商品抽出部１２２は、目的情報「運動会」に対応する商品ＩＤが１〜１０及び１４，１５に対応する商品情報を抽出する。商品抽出部１２２は、ランク情報に基づいて商品情報を抽出してもよい。例えば、商品抽出部１２２は、ランク情報が「Ａ」の商品情報のみを抽出するようにしてもよい。
【００７７】
店舗設定部１２４は、抽出された商品情報を商品名別に分類して仮想店舗を設定する。店舗設定部１２４は、商品情報をランク情報に基づいて取り扱う仮想店舗を設定してもよい。例えば、店舗設定部１２４は、ランク情報が高い順に商品を消費者に提示するような仮想店舗を設定してもよい。
【００７８】
図１１は、図９等の商品ＩＤ＝１の商品の価格情報を説明する図である。図１１（ａ）は、商品ＩＤ＝１の商品「運動服」の目的情報ごとに設定された商品の価格情報を示す。価格情報は、商品情報の販売用データに含まれている。価格情報は、例えば出店者が商品に設定する商品価格であってもよい。図１１（ａ）が示すように、出店者は、商品「運動服」に対する消費者向けの商品価格を目的情報ごとに設定してもよい。例えば、出店者は、多数の消費者が商品を購入しそうな目的情報に対しては、販売価格を高く設定するようにしてもよい。このように目的情報ごとに価格情報を設定することによって、商品抽出部１２２は、目的情報に対応づけられた商品情報と目的情報に対して設定された価格情報とを抽出する。商品情報送信部１３４は、目的情報に対して設定された価格情報を商品の商品価格を示す情報として消費者に送る。従って、消費者には、出店者が目的情報ごとに設定した商品価格が示される。このような場合に、仮想店舗は、商品に関する情報と商品価格だけを消費者に提示して、出店者名を提示しないようにしてもよい。
【００７９】
また、商品情報は、商品を仮想店舗に出店する「月」や「有効期限」等の情報を含んでもよい。このように商品情報に期限を設定することによって、商品抽出部１２２は、期限を考慮して商品情報をするようにしてもよい。
【００８０】
ところで、オンラインショッピングモールにおいては、いわゆるオークションが開催されることがある。本実施形態では、オークションによる商品販売として出店者が商品ごとに以下のような設定をすることができるようにしてもよい。
【００８１】
図１１（ｂ）は、商品ＩＤ＝１の商品「運動服」の目的情報ごとに設定された商品の販売価格を示す図である。ここでいう販売価格とは、価格情報のひとつであり、出店者が消費者向けオークション用に設定する商品の価格である。オークションを開催する場合に、仮想店舗は、「運動服」をオークション対象商品として消費者に提示してもよい。「運動服」の販売価格は、消費者には提示されなくてもよい。また、販売価格は、オークションの取引開始価格として消費者に提示されるようにしてもよい。
【００８２】
消費者は、「運動服」に対する所望の値段を注文情報としてモールサーバ１００の商品注文部１０２に送る。商品注文部１０２は、商品情報格納部１１４の商品情報の販売用データに含まれる販売価格を参照する。商品抽出部１２２は、目的情報に対応づけられた複数の商品から、消費者向けの商品推薦基準に基づいて所定の販売価格の商品情報を抽出する。例えば、商品注文部１０２は、消費者から受け取った値段が販売価格以上である場合に、消費者の注文情報を出店者に送るようにしてもよい。このように商品推薦基準を設定すれば、出店者は、販売価格以上の値段で商品を購入する消費者の注文情報を受け取ることができる。また、商品注文部１０２は、一定期間に受け取ったオークション用の商品の注文情報の内、一番高い値段を提示した注文情報のみを出店者に送るようにしてもよい。以上のように消費者向けの商品推薦基準を設定することによって、モールサーバ１００は、販売価格を利用して消費者の購買動向に応じたいろいろな商品提示をすることができる。
【００８３】
図１１（ｃ）は、商品ＩＤ＝１の商品「運動服」の目的情報ごとに設定された商品の販売希望価格を示す図である。ここでいう販売希望価格とは、価格情報のひとつであり、出店者が出店者向けオークション用に設定する商品の価格である。
【００８４】
商品情報格納部１１４は、複数の出店者から受け取ったさまざまな販売希望価格を格納している。商品抽出部１２２は、消費者から目的候補情報を受け取った場合に、消費者向けの商品推薦基準に基づいて、販売希望価格の設定された商品の商品情報を抽出する。例えば、商品推薦基準を販売希望価格が一番安い商品情報だけを抽出するような基準に設定してもよい。このように設定すると、仮想店舗には、一番やすい価格の商品が提示される。また、商品情報送信部１３４は、抽出された商品情報を消費者向けの推薦商品を示す情報をとして消費者に送ってもよい。例えば、商品情報送信部１３４は、「おすすめ商品」といった表示情報を加えて商品情報を消費者に送ってもよい。
【００８５】
以上のように販売希望価格を利用することによって、モールサーバ１００は、出店者の商品を選別するようにしてもよい。従って、消費者は、例えば、最低価格の商品を出店している出店者の商品のみを見ることができる。
【００８６】
図１２は、図９等の商品ＩＤ＝１の商品「運動服」の目的情報ごとに設定された消費者の特徴を示す属性情報を示す図である。図１２では、商品「運動服」の商品情報は、目的情報ごとに商品の使用対象に想定される消費者の属性を示す属性情報を含んでいる。属性情報は、例えば性別（男性用又は女性用）、対象年齢等であってもよい。属性情報は、出店者によって設定される。商品情報格納部１１４は、出店者が設定した属性情報を商品情報の一部として格納している。
【００８７】
一方、消費者は、消費者の特徴を示す属性候補情報をモールサーバ１００の商品抽出部１２２に送ってもよい。商品抽出部１２２は、属性候補情報を受け取る場合に、属性候補情報に対応する属性情報を商品情報格納部１１４から見つけだす。商品抽出部１２２は、さらに見つけ出した属性情報に対応づけられた商品情報を抽出する。店舗設定部１２４は、抽出された商品情報の示す商品を取り扱う仮想店舗を設定する。例えば、消費者が属性候補情報として「男性用」という情報を商品抽出部１２２に送ったとする。この場合に、仮想店舗は、男性用の商品を優先的に取り扱うようにしてもよい。また、商品情報送信部１３４は、属性公報情報に対応する属性情報を含む商品情報に変化を加えてもよい。例えば、属性情報を含まない商品情報と区別できるように、商品情報の画像データを点滅させて表示するようにしてもよい。
【００８８】
以上のように、消費者から属性候補情報を受け取ることによって、モールサーバ１００は、消費者の属性にあった商品を取り揃えた仮想店舗を設定できる。
【００８９】
（第２実施形態）
本実施形態では、第１実施形態におけるコンテンツ鑑賞システムを、ハードウェアにその機能を実現させるプログラムソフトウェアを記録した記録媒体の形で提供する。このプログラムに基づいて動作するハードウェアとして、例えばパーソナルコンピュータやワークステーション等の電子計算機を用いてもよい。
【００９０】
図１３〜図１５は、第２実施形態に係るプログラムソフトウェアの機能ブロック図である。このプログラムソフトウェアは、例えばＣＤ−ＲＯＭ等の記録媒体に格納されてユーザーに提供される。記録媒体に格納されたソフトウェアは圧縮されていても非圧縮であってもよい。一般的に、プログラムソフトウェアは、記録媒体からコンピュータのハードディスクにインストールされて、システムメモリに読み出されて実行される。
【００９１】
本プログラムは、図１３〜図１５に示すように種々の機能を果たすプログラムモジュールの形で構成される。本実施形態のモールサーバプログラム３００は、商品注文モジュール１０２と目的追加モジュール１０４と出店情報格納モジュール１１０と仮想店舗作成モジュール１２０とサーバ送信モジュール１３０とサーバ受信モジュール１４０とを備える。出店情報格納モジュール１１０は、店舗情報格納モジュール１１２と商品情報格納モジュール１１４とを有する。サーバ受信モジュール１４０は、目的候補受信モジュール１４２と属性受信モジュール１４４とを有する。仮想店舗作成モジュール１２０は、商品抽出モジュール１２２と店舗設定モジュール１２４とを有する。サーバ送信モジュール１３０は、店舗情報送信モジュール１３２と商品情報送信モジュール１３４とを有する。
【００９２】
消費者端末プログラム１５０は、消費者受信モジュール１６０と消費者入力モジュール１７０と消費者側出力モジュール１５２とを備える。消費者受信モジュール１６０は、店舗情報受信モジュール１６２と商品情報受信モジュール１６４とを有する。消費者入力モジュール１７０は、購入要求モジュール１７２と属性入力モジュール１７４と目的候補送信モジュール１７６と新店舗要求モジュール１７８とを有する。
【００９３】
出店者端末プログラム１８０は、出店者受信モジュール１８２と出店者側出力モジュール１８４と出店者送信モジュール１８６とを備える。以上の各モジュールがもつ機能は、図４〜図６のブロックに示される各機能と同様である。
【００９４】
なお、記録媒体の一例としてのＣＤ−ＲＯＭには、コンピュータのＣＰＵの動作の一部またはすべての機能を格納することができる。また、ＣＤ−ＲＯＭには他の装置の動作の一部又は全ての機能を格納することができる。記録媒体としては、ＣＤ−ＲＯＭの他にも、ＤＶＤやＰＤ等の光記録媒体、フロッピーディスクやミニディスク（ＭＤ）等の磁気記録媒体、ＭＯディスク等の光磁気記録媒体、テープ状記録媒体、不揮発性の半導体メモリカード等を用いることができる。上記のプログラムを格納した記録媒体は、モールサーバシステムを製造するためにのみ使用されるものであり、そのような記録媒体の業としての製造および販売等が本出願に基づく特許権の侵害を構成することは明らかである。
【００９５】
以上で説明したように、第１、第２実施形態のモールサーバシステムによれば、消費者の購入したい商品をまとめて取り扱う仮想店舗を設定することができる。消費者は、仮想店舗でショッピングすることで複数店舗を巡ることなく所望の商品をまとめて注文できる。消費者は、複数の店舗における煩雑な商品選択に要する時間を低減できる。また、通信時間が短縮するため、ネットワークの使用料金を低減できる。
【００９６】
また、複数の目的情報を関連づけたり階層化するすることによって、消費者の要求に応じたいろいろな仮想店舗を設定できる。
【００９７】
また、出店者は目的情報の設定を変更することによって、消費者の動向に応じた商品情報の提示をすることができる。
【００９８】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００９９】
【発明の効果】
上記説明から明らかなように、本発明によれば消費者の商品の使用目的に応じて設定された仮想店舗において、消費者は所望の商品を注文することができる。
【図面の簡単な説明】
【図１】  従来のモールサーバシステムの消費者端末における入力画面を示す図である。
【図２】  第１実施形態のモールサーバシステムの概念図である。
【図３】  第１実施形態のモールサーバシステムにおける消費者端末の入力画面を示す図である。
【図４】  第１実施形態のモールサーバシステムにおけるモールサーバの機能ブロック図である。
【図５】  第１実施形態のモールサーバシステムにおける消費者端末の機能ブロック図である。
【図６】  第１実施形態のモールサーバシステムにおける出店者端末の機能ブロック図である。
【図７】  第１実施形態のモールサーバシステムのモールサーバ側の処理を示すフローチャートである。
【図８】  第１実施形態の出店者を特定する店舗情報を示す図である。
【図９】  第１実施形態の出店者が設定する商品情報と目的情報を示す図である。
【図１０】  第１実施形態の出店者が設定する目的情報を出店希望にランク付けしたランク情報を示す図である。
【図１１】  図９等の商品ＩＤ＝１の商品の価格情報を説明する図である。
【図１２】  図９等の商品ＩＤ＝１の商品「運動服」の目的情報ごとに設定された消費者の特徴を示す属性情報等を示す図である。
【図１３】  第２実施形態に係るプログラムソフトウェアの機能ブロック図である。
【図１４】  第２実施形態に係るプログラムソフトウェアの機能ブロック図である。
【図１５】  第２実施形態に係るプログラムソフトウェアの機能ブロック図である。
【符号の説明】
１００  モールサーバ
１０２  商品注文部
１０４  目的追加部
１１０  出店情報格納部
１１２  店舗情報格納部
１１４  商品情報格納部
１２０  仮想店舗作成部
１２２  商品抽出部
１２４  店舗設定部
１３０  サーバ送信部
１３２  店舗情報送信部
１３４  商品情報送信部
１４０  サーバ受信部
１４２  目的候補受信部
１４４  属性受信部
【図１】
0004146988.tif 000002
【図２】
0004146988.tif 000003
【図３】
0004146988.tif 000004
【図４】
0004146988.tif 000005
【図５】
0004146988.tif 000006
【図６】
0004146988.tif 000007
【図７】
0004146988.tif 000008
【図８】
0004146988.tif 000009
【図９】
0004146988.tif 000010
【図１０】
0004146988.tif 000011
【図１１】
0004146988.tif 000012
【図１２】
0004146988.tif 000013
【図１３】
0004146988.tif 000014
【図１４】
0004146988.tif 000015
【図１５】
0004146988.tif 000016